(57)【特許請求の範囲】
【請求項１】
機器(1)用のレフィル(10)であって、前記機器(1)の受入構造にある招待部材と協働することができる固定手段を備え、前記レフィルの前記固定手段が、前記受入構造の挿入ガイド(17、18、19、20、21)に係合することができる2つのプロファイル要素(14、15)を備え、それらの間に、前記機器の1つまたは複数の部材が係合することができる空間(43)を画定し、前記プロファイル要素(14、15)のうちの一方が、その後端部に、前記レフィルを前記機器上の所定の位置に保つために前記機器のクリップ(24)と係合するように意図されたフック状保持突起(23)を備え、前記プロファイル要素(14、15)の他方が、その後端部に、前記レフィルが前記機器に挿入されているとき、前記レフィルをより容易に位置決めさせるために位置決めフィンガ(80)を有する、レフィル。
【請求項２】
前記レフィル(10)が前記機器(1)に装着されるとき、前記プロファイル要素(14、15)が、前記レフィル(10)の挿入方向に延びる、請求項1に記載のレフィル。
【請求項３】
縦軸に沿って延び、前記プロファイル要素(14、15)が、前記レフィル(10)の前記縦軸に沿って延びる、請求項1または2に記載のレフィル。
【請求項４】
前記固定手段(14、15)が、その中央において断面がT字スロットの全体形状を有する、請求項1から3のいずれか一項に記載のレフィル。
【請求項５】
前記位置決めフィンガ(80)が面取り部を有する、請求項1から4のいずれか一項に記載のレフィル。
【請求項６】
前記保持突起(23)が、前記位置決めフィンガ(80)よりも長い、請求項1から5のいずれか一項に記載のレフィル。
【請求項７】
前記レフィル(10)がプラスチックで作られる、請求項1から6のいずれか一項に記載のレフィル。
【請求項８】
製品を塗布するためのアプリケータ部材(13)を備える、請求項1から7のいずれか一項に記載のレフィル。
【請求項９】
アプリケータ部材(13)がない、請求項1から7のいずれか一項に記載のレフィル。
【請求項１０】
前記レフィル(10)が、可動要素(33)を備え、前記可動要素(33)が、前記要素が前記2つのプロファイル要素(14、15)間の前記空間(43)から後退した非アクティブ位置から、この要素が前記空間(43)に突き出たアクティブ位置へと移動することができる、請求項1から9のいずれか一項に記載のレフィル。
【請求項１１】
機器(1)用の物品であって、前記機器(1)にある受入構造に置かれた招待固定手段と協働することができる固定手段を含み、固定手段が、前記受入構造の挿入ガイド(17、18、19、20、21)に係合することができる2つのプロファイル要素(14、15)を備え、それらの間に前記機器の1つまたは複数の部材が係合することができる空間を画定し、前記プロファイル要素(14、15)のうちの一方が、その後端部に、前記物品を前記機器上の所定の位置に保つために前記機器のクリップ(24)と係合するように意図されたフック状保持突起(23)を備え、前記プロファイル要素(14、15)の他方が、その後端部に、前記物品が前記機器に挿入されているとき、前記物品をより容易に位置決めさせるために位置決めフィンガ(80)を有し、前記機器(1)が、前記機器(1)の前記受入構造に取り付けられるとき、請求項1から10のいずれか一項に記載のレフィル(10)を検出するために接触器(26)を備え、前記物品が、前記機器(1)の前記接触器(26)を作動するように設計される、物品。
【請求項１２】
請求項1から10のいずれか一項に記載のレフィル(10)と、前記レフィルを受け入れるように設計された機器(1)とを含む組立体であって、前記機器がレフィル受入構造を備え、前記レフィル受入構造が、前記レフィル(10)が前記機器(1)の受入構造(1)に装着されるときに前記2つのプロファイル要素(14、15)が係合する挿入ガイド(17、18、19、20、21)を備える、組立体。
【請求項１３】
前記レフィルが前記挿入ガイドに沿ったスライド移動によって装着および取外しされるように、前記挿入ガイドが設計される、請求項12に記載の組立体。
【請求項１４】
前記挿入ガイドがガイドウェイを形成し、前記プロファイル要素が、前記レフィル(10)が前記機器(1)に装着されるとき、前記ガイドウェイにスライドするレールを形成する、請求項13に記載の組立体。
【請求項１５】
前記レフィルが、請求項12に記載のものであり、前記受入構造が、一方では、前記レフィル(10)が最初に前記機器(1)に装着されるとき、可動要素(33)をその非アクティブ位置からそのアクティブ位置に導くように位置決めされたリリーフ(18)を備え、他方では、ブロック部材(30)を備え、前記ブロック部材(30)が、前記レフィル(10)の挿入方向の前記リリーフ(18)の上流に配置され、前記可動要素(33)が前記レフィル(10)の取外し方向に通過することを可能にし、前記レフィル(10)が初めて装着された後、前記レフィルの装着方向に前記可動要素(33)が通過するのを防ぐために、前記可動要素(33)と協働するように設計される、請求項12から14のいずれか一項に記載の組立体。
【請求項１６】
前記可動要素(33)が、前記非アクティブ位置から前記アクティブ位置に移行中に折れるように意図された材料の切り離し可能なブリッジによって、前記プロファイル要素(14、15)の一方に接続される、請求項15に記載の組立体。
【請求項１７】
前記可動要素(33)が、前記プロファイル要素(14、15)の一方とともに成形され、前記アクティブ位置で他方のプロファイル要素(14、15)にスナップ留めされるように設計されたフックである、請求項15に記載の組立体。
【請求項１８】
前記ブロック部材(30)が、前記機器上でレフィルが使用されるとき前記アクティブ位置の前記可動要素(33)を遮るように前記ブロック部材(30)が前記機器から突き出る第1の位置と、前記機器上でレフィルが使用されるとき前記アクティブ位置の前記可動要素(33)が通過することを可能にするために少なくとも一部は引っ込められた第2の位置との間で移動することができ、前記ブロック部材(30)が、それを前記第1の位置に保つ返し部材を備え、前記レフィル(10)の前記取外し方向において、前記可動要素(33)の作用により、その第1の位置からその第2の位置に移動して前記可動要素が通過することを可能するように設計され、前記アクティブ位置において前記可動要素(33)の前記通過を防ぐために前記レフィルの挿入中は前記第1の位置のままであるように配置される、請求項15から17のいずれか一項に記載の組立体。
【請求項１９】
前記ブロック部材(30)が、前記レフィル(10)が前記機器(1)に装着されるとき、前記空間(43)に突き出る不動リリーフであり、前記可動要素(33)が、前記レフィル(10)の前記取外し方向において前記ブロック部材(30)の作用により、そのアクティブ位置からそれの非アクティブ位置へと移動するように設計され、前記ブロック部材(30)が前記2つのプロファイル要素(14、15)間の前記空間(43)へと移動するのを防ぐために、前記レフィル(10)が初めて装着された後、前記レフィルの前記装着方向において、そのアクティブ位置を維持するように設計される、請求項15に記載の組立体。
【請求項２０】
前記機器(1)が、前記機器(1)上の前記レフィル(10)の存在を検出するために、前記機器(1)に前記レフィル(10)が装着されるとき、前記レフィル(10)によって作動される接触器(26)を備える、請求項12から19のいずれか一項に記載の組立体。
【請求項２１】
前記機器(1)が、毛髪を処理するための機器である、請求項12から20のいずれか一項に記載の組立体。
【請求項２２】
前記機器(1)が、ヒンジによって結合された2本のアーム(2、3)を備え、前記アーム(2、3)の一方に前記レフィル(10)受入構造が形成される、請求項21に記載の組立体。
【発明の詳細な説明】
【技術分野】
【０００１】
本発明は、レフィルを使用して動作する機器に関し、より詳細には、限定はしないが、ストレートアイロンなど、毛髪を処理するための機器に関する。
【背景技術】
【０００２】
レフィルは、たとえば、処理されるべき領域に塗布される製品を含み、場合によっては、製品がその上に堆積されることが意図されたゾーンと接触するアプリケータも含む。
【０００３】
国際出願WO 2009/078046およびWO 2015/097626は、毛髪処理機器の座部に収納されたレフィルを開示する。
【０００４】
特許出願US 2013/0233335および国際出願WO 2016/107828もまた、機器の補足スロットにT断面の延長部の滑動を用いる固定システムを有する毛髪処理機器に取り付けられるレフィルを開示する。
【０００５】
いくつかの機器での使用では、とりわけ異なる固定手段を示す、異なるレフィルを利用可能にすることが望ましい場合がある。
【先行技術文献】
【特許文献】
【０００６】
【特許文献１】WO 2009/078046
【特許文献２】WO 2015/097626
【特許文献３】US 2013/0233335
【特許文献４】WO 2016/107828
【発明の概要】
【課題を解決するための手段】
【０００７】
その態様のうちの第1の態様によれば、本発明は、新しいレフィルを提案しようとし、機器、とりわけ毛髪整形機器用のレフィルによってこれを実現し、このレフィルは、機器の受入構造にある招待部材(complimentary member)と協働することができる固定手段を備え、レフィルの固定手段は、受入構造の挿入ガイドに係合することができる2つのプロファイル要素を含み、それらの間に、機器の1つまたは複数の部材が必要に応じて追加の機能を行うために係合することができる空間を画定する。
【０００８】
2つのプロファイル要素の使用は、機器へのレフィルの良好な保持を実現すること、および2つのプロファイル要素間に、機器の1つまたは複数の部材が係合することができる空間を有することを可能にする。
【０００９】
好ましくは、レフィルは、縦軸に沿って延びる。
【００１０】
好ましくは、プロファイル要素は、レフィルが機器に装着されるときのレフィルの挿入の方向に、有利にはレフィルの縦軸に沿って延出する。これは、レフィルをその長さ全体に沿って効果的に保持できるようにする。
【００１１】
好ましくは、固定手段は、中央がT字スロットの全体形状を有し、スロットは、2つのプロファイル要素間に位置する空間に対応する。
【００１２】
好ましくは、プロファイル要素のうちの1つは、その後端部に、レフィルを機器上の所定の位置に保つために機器のクリップと係合するように意図されたフック状保持突起を備える。
【００１３】
「後端部」が意味するものは、レフィルが受入構造に固定されることになるとき、最初に受入構造の挿入ガイドに係合するように意図されたプロファイル要素の端部である。
【００１４】
好ましくは、プロファイル要素の一方、とりわけ、前述の保持突起のない一方は、その後端部に、レフィルが機器に挿入されているときレフィルをより位置決めしやすくするために位置決めフィンガ(positioning finger)を有する。位置決めフィンガは、機器の挿入ガイドに係合しやすくするために面取りされてよい。面取り部は、保持突起の対向する縁部にあってよい。
【００１５】
好ましくは、保持突起は、位置決めフィンガよりも長い。
【００１６】
好ましくは、位置決めフィンガは、それから位置決めフィンガが延びるプロファイル要素と同じ幅ではない。位置決めフィンガは、プロファイル要素と交わる場所で、保持突起と同じ側に切れ目を有する。
【００１７】
好ましくは、保持突起に対するフィンガの対向する縁部は、それからフィンガが延びるプロファイル要素の縁部の延長にある。
【００１８】
レフィルは、プラスチックで作られてもよく、とりわけPET、PBT、PP、PC、POM、SANまたはPA6,6で、特にPET、PBTまたはPA 6,6で作られてもよい。PC、PET、PBT、PPおよびPA6,6は、レフィルにかけられる場合がある熱応力によく耐えることができる。
【００１９】
レフィルは、製品、好ましくは化粧品を塗布するための部材、とりわけフェルトを備えてもよい。フェルトは、化粧製品を含浸されてよい。
【００２０】
代替として、レフィルにアプリケータ部材がないことが可能である。そのようなレフィルは、製品が塗布されることなく機器を使用することを可能にしてよく、または、使用者本人がアプリケータ部材、たとえば、あらかじめ製品を含浸されたアプリケータ部材をレフィルに挿入することを可能にしてよい。
【００２１】
好ましくは、レフィルは、要素が2つのプロファイル要素間の空間から後退した非アクティブ位置から、この要素が上記空間に突き出たアクティブ位置に移動することができる可動要素を備える。可動要素のアクティブ位置が、レフィルが使用されたか否かに関してインジケータを構成するように、可動要素は、レフィルが最初に機器に装着されるとき、非アクティブ位置からアクティブ位置へと移動してよい。そのような可動要素は、レフィルの使用に関するメモリとしても機能する。
【００２２】
可動要素は、様々な方式で具現化されてよい。たとえば、要素は、ハウジングに入れられるとアクティブ位置を維持するように、レフィル内の対応するハウジングに摩擦を伴って移動することができるピンである。
【００２３】
可動要素は、固定手段と一緒に成形されてよく、とりわけ、非アクティブ位置からアクティブ位置への上記要素の移行中に折れるように意図された材料の切り離し可能なブリッジ(severable bridge of material)によって、または変形可能な接続部分によって、固定手段に結合される。可動要素は、たとえば、上述のプロファイル要素の一方とともに成形されたフックであり、上記フックは、他方のプロファイル要素にアクティブ位置でスナップ留めされるように設計される。フックは、他方のプロファイル要素の対応するハウジングに引っかかる端部部分を備えてよい。
【００２４】
接続部分は、たとえば、フィルムヒンジ、または材料の切り離し可能なブリッジである。
【００２５】
一変形形態では、可動要素は、代替的に、レフィルの本体上に関節を成すフックの形で具現化されてよい。
【００２６】
本発明の別の主題は、上記で説明した本発明の第1の態様によるレフィルと、レフィルを受け入れるように設計された機器とを含む組立体であり、この機器は、レフィルが機器の受入構造に装着されるとき、2つのプロファイル要素が係合する挿入ガイドを含むレフィル受入構造を備える。
【００２７】
好ましくは、挿入ガイドは、レフィルがガイドに沿ったスライド移動によって装着および取外しされるように設計される。挿入ガイドは、ガイドウェイを形成してよく、プロファイル要素は、レフィルが機器に装着されるとき、ガイドウェイにスライドするレールを形成してよい。
【００２８】
好ましくは、レフィルは、上記で説明した可動要素を備え、受入構造は、一方では、レフィルが最初に機器に装着されるとき、可動要素をその非アクティブ位置からそのアクティブ位置に導くように位置決めされたリリーフを備え、他方では、ブロック部材を備え、ブロック部材は、レフィルの挿入方向の上記リリーフの上流に配置され、可動要素がレフィルの取外し方向に通過することを可能にし、レフィルが初めて装着された後、可動要素がレフィルの装着方向で通過するのを防ぐために可動要素と協働するように設計される。
【００２９】
ブロック部材は、レフィルが機器上で使用されるとき、アクティブ位置の可動要素を遮るようにブロック部材が機器から突き出た第1の位置と、レフィルが機器上で使用されるとき、アクティブ位置の可動要素が通過することができるように少なくとも一部は引っ込められた第2の位置との間で移動できてよく、ブロック部材は、それを第1の位置に保つ返し部材を備え、レフィルの取外し方向で、可動要素が通過できるようにするために可動要素の作用でその第1の位置からその第2の位置に移動するように設計され、アクティブ位置の可動要素の通過を防ぐためにレフィルの挿入中は第1の位置のままであるように配置される。ブロック部材は、ばねワイヤ、またはばねが作用する可動部分であってよい。
【００３０】
ブロック部材は、それと接触する上記要素の進行方向に垂直な中心面について対称ではないことが可能である。
【００３１】
したがって、ブロック部材は、上記要素と接触するための接触面を有してよく、この接触面は、入口スロープを出口スロープより急傾斜にさせた、異なる入口スロープおよび出口スロープを有し、入口スロープは、上記要素の進行を妨げるストップ部を成すことによって、アクティブ位置にある上記要素の通過を妨げ、出口スロープは、上記要素がレフィルの取外し方向に通過するときに、ブロック部材を引っ込ませるように上記要素がブロック部材と係合するのを可能にする。ブロック部材は、上記要素によって一方向に通り越される。
【００３２】
代替として、ブロック部材は、レフィルが機器に装着されるとき、空間に突き出る不動リリーフであり、可動要素は、レフィルの取外し方向におけるブロック部材の作用でそのアクティブ位置からその非アクティブ位置に向かって移動するように設計され、ブロック部材が2つのプロファイル間の空間に入るのを防ぐために、レフィルが初めて装着された後、レフィルの装着方向でそのアクティブ位置を維持するように設計される。ブロック部材は、それと接触する上記要素の進行方向に垂直な中心面について対称ではないことが可能である。したがって、ブロック部材は、上記要素と接触するための接触面を有してよく、この接触面は、入口スロープを出口スロープより急傾斜にさせた、異なる入口スロープおよび出口スロープを有し、入口スロープは、上記要素の進行を妨げるストップ部を成すことによって、アクティブ位置にある上記要素の通過を妨げ、出口スロープは、上記要素がレフィルの取外し方向で通過するときに、可動要素を引っ込ませるように上記要素がブロック部材と係合するのを可能にする。ブロック部材は、上記可動要素によって一方向に通り越される。
【００３３】
機器は、好ましくは、レフィルが機器に装着されるとき、機器にこのレフィルがあることを検出するように、レフィルによって作動される接触器を備える。この接触器は、すでに使用されたレフィルの場合、レフィルの導入中にレフィルをブロックするより前に作動されるように、好ましくは、上述のブロック部材の上流に位置する。機器は、レフィルの挿入が完了した後にのみ作動される、第2の接触器を有してよい。
【００３４】
レフィルは、好ましくは化粧製品を含み、機器は、有利には毛髪を処理するよう意図されている。
【００３５】
機器は、たとえば、ヒンジによって接合された、部材とも呼ばれる2本のアームを有し、レフィル受入構造は、アームの一方に形成される。
【００３６】
好ましくは、機器は、とりわけ機器のアームが閉じられるとき、毛髪と接触するように意図された少なくとも1つの加熱プレートを備える。
【００３７】
本発明の別の主題は、機器、とりわけ毛髪を整形するための機器のための物品であり、この物品は、機器の受入構造の招待部材と協働することができる固定手段を備え、物品固定手段は、受入構造の挿入ガイドに係合することができる2つのプロファイル要素を備え、それらの間に、機器の1つまたは複数の部材が係合することができる空間を画定し、機器は、レフィルが機器の受入構造に取り付けられるとき、上記で説明したレフィルを検出するための接触器を備え、物品は、機器の接触器を作動するように設計される。
【００３８】
そのような物品により、機器上のレフィルの存在をシミュレートすることが可能になる。そのような物品により、とりわけ、使用者は、化粧製品のレフィルが機器に挿入されずに、レフィルがあるモードの動作で機器を使用することが可能になる。
【００３９】
好ましくは、物品は、化粧製品を含んでいない。したがって、使用者は、製品の塗布以外の、その機能のすべてを備えた機器を使用することができる。
【００４０】
好ましくは、物品が受入構造に固定されている間、固定手段の存在は、検出要素によって検出される。
【００４１】
好ましくは、物品は、二回以上、デバイスに挿入され、デバイスから取り外されることが可能である。特に、物品は、それのデバイスへの挿入とデバイスからの取外しとの間で同じ構成を有する。物品は、好ましくは、上記で説明した可動要素がなく、ブロック部材と係合しない。したがって、ブロック部材は、物品の再挿入を妨げることができず、物品は、必要に応じて何度も使用され得る。これは、化粧製品がない場合、物品の再挿入を妨げる必要がないからである。
【００４２】
好ましくは、物品は、レフィルがそうであるように、受入構造上の対応する空間を占めるように構成される。
【００４３】
好ましくは、物品は、化粧製品を含んでいないことを除いて、レフィルの外観と実質的に同一の外観を有する。
【００４４】
好ましくは、物品は、デバイスが毛髪を処理するために使用されているとき、デバイスによって処理される毛髪の房と、および/またはデバイスのプレス要素と、接触しないように構成される。
【００４５】
好ましくは、物品は、PET、PBT、PA6,6、PP、POM、PCまたはSAN、とりわけPET、PBTまたはPA6,6などの熱可塑性材料で作られる。
【００４６】
本発明の別の主題は、上記で説明した物品と、上記で説明したレフィルを受け入れるように設計された機器とを含む組立体であり、この機器は、レフィルが機器の受入構造に装着されるとき、2つのプロファイル要素が係合する挿入ガイドを含むレフィル受入構造を備える。
【００４７】
その態様のうちの第2の態様によれば、本発明は、機器、とりわけ毛髪整形機器用のレフィルに関し、このレフィルは、
-  レフィルが機器に装着されるとき、およびレフィルが機器から取り外されるとき、レフィルがそれに沿って移動する受入構造の挿入ガイドに係合する2つのプロファイル要素と、
-  使用メモリとして機能する可動要素であって、要素が2つのプロファイル要素間の空間から後退した非アクティブ位置から、この要素が上記空間に突き出たアクティブ位置に移動することができ、上記要素は、アクティブ位置にあるとき、受入構造のブロック部材が2つのプロファイル要素間を通過することによって遮断され、レフィルを受入構造に挿入装着(insert fitting)および受入構造からの取外し中に、可動要素は、使用メモリとして機能し、ブロック部材がレフィルの取外し方向で上記要素によって通り越され得るように、およびすでに使用されたレフィルを再び挿入しようとする試みが行われる場合、ブロック部材がレフィルの挿入の方向で上記要素の通過を阻むように配置される、可動要素と
を備える。
【００４８】
本発明は、とりわけ衛生上の理由で、特に機器が異なる人々に連続的に使用されるとき、すでに機器に装着されて、その後取り外されたレフィルの再使用を防ぐことを可能にする。
【００４９】
本発明の別の主題は、上記で説明した本発明の第2の態様によるレフィルと、レフィルを使用するように設計された機器とを含む組立体であり、機器は、レフィルが装着されるときプロファイル要素が係合し、レフィルが機器に装着されるとき、およびレフィルが機器から取り外されるとき、レフィルがそれに沿って進む挿入ガイドを有するレフィル受入構造を有し、この受入構造は、レフィルが初めて機器に装着されるとき、レフィルの使用メモリとして機能する要素に作用し、その非アクティブ位置からそのアクティブ位置へそれを移行させるように位置決めされたリリーフと、2つのプロファイル要素間の空間に入り、上記要素がアクティブ位置にあるとき、上記要素を遮るように配設されたブロック部材とを有し、レフィルが受入構造に装着され、受入構造から取り外される間、要素およびブロック部材は、ブロック部材がレフィルの取外し方向で上記要素によって通り越され得るように、およびすでに使用されたレフィルを再び挿入しようとする試みが行われる場合、ブロック部材が、レフィルの挿入方向で上記要素が通過するのを防ぐように設計される。
【００５０】
本発明は、レフィルが機器上で以前に使用されていた場合に、レフィルの装着を単純かつ効果的に阻止することを可能にするものである。
【００５１】
本発明の第1の態様に関して上記で説明したレフィルおよび組立体の特徴はすべて、本発明のこの第2の態様に適用され得る。
【００５２】
第3の態様によれば、本発明は、とりわけ毛髪を整形するための機器用のレフィルに関し、このレフィルは、レフィルが機器に装着されるとき、および機器から取り外されるとき、それに沿って移動する受入構造の挿入ガイドに係合することができる2つのプロファイル要素を含む、機器の受入構造に取り付けるための固定手段を備え、レフィルは、機器、とりわけ毛髪を整形するための機器用のレフィル以外のものであり、
-  レフィルが機器に装着されるとき、およびレフィルが機器から取り外されるとき、レフィルがそれに沿って移動する受入構造の挿入ガイドに係合する2つのプロファイル要素と、
-  使用メモリとして機能する可動要素であって、要素が2つのプロファイル要素間の空間から後退した非アクティブ位置から、この要素が上記空間に突き出たアクティブ位置に移動することができ、受入構造へのレフィルの挿入装着および受入構造からの取外し中に、上記要素は、それがアクティブ位置にあるとき、受入構造のブロック部材が2つのプロファイル要素間を通過することによって遮断され、可動要素は、レフィルの取外し方向でブロック部材が上記要素によって通り越され得るように、およびすでに使用されたレフィルを再び挿入しようとする試みが行われる場合、レフィルの挿入方向でブロック部材が上記要素の通過を阻むように配置される、可動要素と
を備える。
【００５３】
本発明の別の主題は、上記で説明した本発明の第3の態様によるレフィルと、レフィルを使用するように設計された機器とを含む組立体であり、この機器は、レフィルが装着されるとき、プロファイル要素が係合する挿入ガイドを含むレフィル受入構造を備える。
【００５４】
本発明の第1の態様に関して上記で説明したレフィルおよび組立体の特徴はすべて、本発明のこの第3の態様に適用され得る。
【００５５】
本発明は、非限定的例示的実施形態の次の詳細な説明を読むことにより、また添付の図面を調べることにより、よりよく理解できよう。
【図面の簡単な説明】
【００５６】
【図１】レフィルが装着された状態の機器の一例の斜視図を概略的に示す図である。
【図２】レフィルのない状態の図1の機器を示す図である。
【図３】上部アームのカバーが取り外された状態の図2の機器の一部分を示す図である。
【図４】レフィルの一例の部分図を概略的に示す図である。
【図５Ａ】レフィルの代替形態の斜視図を概略的に示す図である。
【図５Ｂ】図5AのVB-VB断面を示す図である。
【図５Ｃ】レフィルが使用された後のレフィルの代替形態の斜視図を概略的に示す図である。
【図５Ｄ】図5CのVD-VD断面を示す図である。
【図６Ａ】図4のレフィルの、機器上での使用前の側面図である。
【図６Ｂ】図4のレフィルの、機器上での使用後の側面図である。
【図７】本発明によるレフィルの代替形態の斜視図を概略的に示す図である。
【図８】図7のレフィルの縦断面の概略図である。
【図９Ａ】図8のレフィルの、その使用前の構成を示す図である。
【図９Ｂ】図8のレフィルの、その使用後の構成を示す図である。
【図１０】機器の動作中に実施され得るアルゴリズムの一例を示す図である。
【図１１】機器の電子回路を非常に概略的に示す図である。
【図１２】本発明によるレフィルの代替形態の斜視図を概略的に示す図である。
【図１３】物品の一例を概略的に示す図である。
【発明を実施するための形態】
【００５７】
図中に示される例では、本発明が適用される機器1は、2本のアーム2、3を有し、それらが関節4によって接続されるとともにアームの対向する面上に加熱要素5、6を支持する、ストレートアイロンである。これらの要素5および6は、ストレートプレートを構成する。
【００５８】
この機器1は、レフィル10を利用し、レフィル10は、アームのうちの一方に、加熱要素のうちの一方に隣接して留められ、この場合は、上部アーム2に、加熱要素5に隣接して固定される。
【００５９】
図4にそれ自体が示されているレフィル10は、塗布される製品、この場合は毛髪に塗布される化粧製品を含む、本体11を有する。
【００６０】
レフィル10は、たとえばフェルトなど、この製品を塗布するための塗布手段13も有し、塗布手段13は、機器が使用されている間に毛髪と接触する。レフィル10は、レフィル10を機器の受入構造に固定するための手段12を有し、その一部分のみが図2に示されている。
【００６１】
レフィル内に含まれた製品は、毛髪がアーム間を通過するときに毛髪に塗布され得る。
【００６２】
当該の例では、レフィルを機器に固定するための手段は、2つのプロファイル要素14および15を有し、それらは、対応するアーム上に設けられたガイドウェイ要素に挿入される。
【００６３】
レフィル10が機器上に装着される場合、機器は、たとえば、上部プロファイル要素15と協働するためのものである3つのガイドウェイ要素17、18、および19、ならびに下部プロファイル要素14と協働するためのものである2つのガイドウェイ要素20および21を有する。
【００６４】
レフィル10は、2つのプロファイル要素14または15のうちの一方の後端部から延びる、レフィルを定位置に保つためにクリップ24と協働するためのフック23を備えてよく、このフック23は、たとえば、機器へのその挿入の最後に、クリップ24にスナップ留めされ、プッシュ/プルタイプの機構または同様のものによってそこから引き抜くことができる。
【００６５】
機器は、レフィル20が存在するとき、レフィル20によって作動され、レフィルがあるかどうかを示すことを可能にする電気接触器26を有する。この接触器は、レバー26aを備え、シール26bがそれを押すことができ、上記シール自体は、プッシャ26cによって作動される。
【００６６】
機器1は、ブロック部材30を有し、ブロック部材30の役割は、レフィル10の、使用メモリとして働く可動要素33と協働することである。
【００６７】
ブロック部材30は、この例では、板ばね31によって弾性的に戻され、前部に、ガイドウェイ要素が取り付けられる壁部35の面に実質的に垂直な縁部34を有し、後部に、それほど急傾斜ではない縁部37を有する。
【００６８】
ブロック部材30は、たとえば、壁部35内のスロット36を通じて配設され、要素33がレフィルの取外し方向で通過するときに、引っ込むことができる。
【００６９】
当該の例では、可動要素33は、図5Aおよび図5Bに見ることができるように、上部プロファイル要素15内の対応するハウジング42に摩擦嵌合(friction fit)として取り付けられるピンの形である。
【００７０】
その初期の非アクティブ位置が図5Aおよび図5Bに示されている要素33は、とりわけ図5Bおよび図6Aに見ることができるように、レフィルが初めて使用される前は、2つのプロファイル要素14および15間に画定された空間43に突き出さない。
【００７１】
機器1は、レフィル10が初めて機器上に装着される際に要素33を移動させるように設計された、リリーフを有する。
【００７２】
当該の例では、このリリーフは、ブロック部材30の後縁部37に位置するガイドウェイ要素18のランプ45によって形成される。したがって、レフィルが初めて使用される際にプロファイル要素14および15がガイドウェイ要素内をスライドするとき、ランプ45は、要素33に次第に押し付けられて、要素33をそのハウジング42に押し込む。
【００７３】
したがって、要素33は、図5Dに示されるように、プロファイル要素14とプロファイル要素15との間の空間43内に突き出す。
【００７４】
ブロック部材30は、レフィル10が機器上に装着されるとき、プロファイル要素14とプロファイル要素15との間に係合する。したがって、レフィル10の挿入中、ブロック部材30は、要素33が、図5Cおよび図5Dに示されるようにアクティブ位置になると延出するゾーンに広がる。
【００７５】
ブロック部材30の後縁部37のスロープは、要素33が、上記ブロック部材30を引っ込めてそれを通り越すためにレフィルの取外し中に上記ブロック部材30を変形させることができるように選択される。
【００７６】
接触器26に対して作用するプッシャ26cは、レフィル10を機器1に導入する方向に関して、ブロック部材30の上流に位置する。したがって、接触器26は、ブロック部材30が、カートリッジの挿入を阻止するというその起こり得る作用を働かせる前であっても作動される。
【００７７】
レフィルと機器によって形成されるこの組立体は、次のように動作する。
【００７８】
レフィル10が初めて機器上に装着される際、ランプ45が要素33を、図5Aおよび図5Bの位置から、図5Cおよび図5Dの位置に移動させる。この位置の変化は、レフィル10の挿入方向の前縁部34とランプ45との間のオフセットのため、要素33がブロック部材30の前縁部34をすでに通り越したときに起こる。したがって、ブロック部材30は、レフィル10の装着を妨げない。
【００７９】
レフィル10の取外し中、要素33はブロック部材30を、その後縁部37のスロープのため通り越すことができる。
【００８０】
しかし、レフィルを再装着しようとする試みが行われる場合、要素33がブロック部材30の前縁部34に、この前縁部34の増大したスロープのため突き当たり、それにより、この前縁部34が要素33によって通り越されることが妨げられる。したがって、使用者はレフィルを再使用することができない。
【００８１】
使用メモリとして働く要素33は、図1から図6Bを参照して今しがた説明した、ハウジング内に摩擦を伴って移動することの可能なピンの助けを借りる以外の、様々な他の方法で具現化され得る。
【００８２】
したがって、図7から図9Bに示されるように、下部プロファイル要素14のハウジング51に引っかかる端部部分53と、端部部分53をレフィルの本体に接続する接続部分52とを有するフックの形で要素33を具現化することが可能である。この実施形態は、要素33をプロファイル要素14およびプロファイル要素15ならびにレフィル10の本体と一体成形することによって要素33を形成することを可能にする。
【００８３】
レフィル10が初めて装着されるとき、機器のランプ45は、たとえば要素33の部分52と部分53との間に形成された肘部のところで要素33を押し、部分53は、図9Bに示されるようにハウジング51にスナップ留めすることができる。
【００８４】
レフィル10が装着されつつある間に、レフィル10に対してブロック部材30がたどる経路は、この図中に破線によって示されている。
【００８５】
図9Aは、レフィルが初めて使用される前の、図7および図8の位置に対応する初期位置では、端部部分53がブロック部材30の経路より上に位置しており、したがってレフィルの装着を妨げないということを示している。図9Bに示されるアクティブ位置では、端部部分53は、ハウジング51にスナップ留めされると、ブロック部材30に突き当たり得る。
【００８６】
図12に示すように、レフィルはまた、フック23がないプロファイル要素14または15の後端部から延びる、位置決めフィンガ80を備えてもよく、挿入ガイドにレフィルを挿入中にプロファイル要素14および15が機器のガイドウェイ要素17〜19に対して容易に位置決めされるようにする。
【００８７】
この位置決めフィンガ80は、フック23に対するその対向する縁部に面取り部82を有してよい。そのような面取り部82は、位置決めをさらに容易にする。
【００８８】
フィンガ80はまた、プロファイル要素14と交わる場所で、フック23と同じ側に切れ目84を形成してもよく、フィンガ80は、フィンガ80がそれから延びるプロファイル要素14よりも小さい幅である。したがって、レフィル10は、フィンガ80とフック23との間に、2つのプロファイル要素14および15間の空間よりも幅広い空間86を有する。そのような空間86が、フック23を対応する機器のクリップに取り付けることをより容易にする。
【００８９】
フック23をクリップ24にスナップ留めするのを位置決めフィンガ80が妨げないように、フック23は、位置決めフィンガ80よりも後方にさらに延びてよい。
【００９０】
レフィル10は、たとえば図13に示すように、使用メモリとして働く要素および化粧製品を除いてレフィル10と同じ構造を有する物品と交換されてよく、使用メモリとして働く要素および化粧製品は物品にはない。したがって、レフィル10と同様にしてデバイスに固定されるとき、物品は、レフィル10と同様にして検出要素26に作用する。
【００９１】
代替として、物品は、レフィルとは異なる構造を有してよい。たとえば、物品はフェルトがなく、レフィル上のフェルトのために通常設けられるハウジングは開いている、または閉じている。物品は、アームが閉鎖されるとき、毛髪またはプレス要素と接触しないが、レフィルとして検出されるために検出要素に作用する部分であってよい。
【００９２】
物品は、レフィルとは異なる材料から作られてよい。
【００９３】
機器1は、図10に概略的に示される電子回路100を有し、電子回路100は、たとえばEEPROMタイプの電子メモリ101を有する。この電子回路100は、レフィル10が機器上に装着されつつある間に作動される、接触器26に接続される。電子回路100は、蒸気生成用の少なくとも1つの電気抵抗器102、要素5、6を加熱するための1つまたは複数の電気抵抗器103、およびたとえばプレートの温度を知ることを可能にする1つまたは複数の温度センサ104にも接続される。
【００９４】
たとえばリードスイッチタイプのスイッチ105があると、機器の閉鎖状態または開放状態を知ることが可能になる。スイッチ105は、たとえば、アームのうちの一方上に配設され、2本のアーム2、3が閉鎖位置にあるときにスイッチ105の状態を変化させるように、アームのうちの他方上に磁石が配設される。スイッチ105は、電子回路100へのアームの閉鎖回数の通知を可能にする。電子回路100は、電力ケーブル106によってAC電源、たとえば110Vまたは240V電源に接続されるように、設計される。
【００９５】
電子回路100は、1つまたは複数のボードの形をとってよく、そのうちのあるものは、ハンドピース内に配設されてよく、そのうちの他のものは、たとえば貯水器およびポンプを含むことによって蒸気生成するのに役立つベースステーションを機器が有しているときにそのようなベースステーション内に配設されてよい。
【００９６】
電子回路100は、好ましくは図11のダイアグラムに従って機器の動作を制御するアルゴリズムを実行するようにプログラムされた、マイクロコントローラなど、少なくとも1つの構成要素を有する。
【００９７】
電子回路100は、ケーブル106が電源に接続されると給電され、機器がオフに切り替えられているときのレフィルの装着を検出することができる。機器のケーブル106を電源に接続するステップ201により、ステップ202において、接触器26のおかげで、ステップ203において対応するボタンを押すことによって機器1がオンに切り替えられるより前に、レフィル10の起こり得る挿入を検出することが可能になる。
【００９８】
ステップ202においてレフィルの挿入が検出された場合、機器1がまだ始動されていないにも関わらず、ステップ204においてアームの閉鎖回数を表す変数ILS_nbrが初期化される。
【００９９】
ステップ203において機器がオンに切り替えられると、ステップ205においてレフィルの存在の検出が実施される。ダイアグラム中の分岐206に相当する、レフィルが装着されていない場合、ステップ207において変数ILS_nbrが初期化され、機器1の動作がダウングレードモードで行われ、これについては、図10のブロック208によって概略的に示されている。このダウングレードモードでは、温度が非調整可能となるようにあらかじめ定義され、たとえば、180℃という値に設定され、蒸気の発生が妨げられてアクティブになり得ず、対応する状態が使用者に、たとえばLEDの点滅または音響信号の発出によって合図される。
【０１００】
機器1は、ステップ209においてレフィルが場合によっては挿入されるまで、このダウングレードモードにとどまり、挿入された場合、機器は、図10にブロック210によって描かれる非ダウングレードモードで動作し、非ダウングレードモードでは、温度が使用者によって、メモリ内に記憶された、非ダウングレードモードでの最終使用値に対応するデフォルト値から開始して、調整され得る。蒸気発生器がアクティブにされ、対応する状態が使用者に、たとえば上述のLEDが非点滅式に照明されることによって合図される。
【０１０１】
非ダウングレードモードでは、ステップ211において、電子回路100が、処理される毛房上でのアーム2、3の閉鎖を検出し、それによって、変数ILS_nbrが、閉鎖回数を表す数だけインクリメントされる。メモリ空間を節約するために、この変数は、好ましくは、n回の閉鎖ごとに1回インクリメントされ、ここでたとえばn=5である。したがって、5回の閉鎖ごとに1回、変数ILS_nbrが5単位だけインクリメントされる。
【０１０２】
ステップ211では、使用者がプレートのセットポイント加熱温度を修正できるようにすることも可能である。必要なら、蒸気の発生用に残っている水の分量が、対応する警報をトリガするために検出され得る。
【０１０３】
ステップ212では、変数ILS_nbrがあらかじめ定義されたしきい値n1未満であるかどうかについてのチェックが行われ、ここでたとえばn1=160である。変数ILS_nbrがn1未満である場合、レフィル内の化粧用組成物は、使い果たされていないと考えられ、機器1は、図11に分岐213によって概略的に示されるように、非ダウングレードモードで動作し続けることができる。変数ILS_nbrの値が、分岐215によって描かれるように、しきい値n1以上になる場合、機器は、図11のブロック208に相当するダウングレードモードに再び移行する。したがって、プレートのセットポイント加熱温度が、ダウングレードモードのあらかじめ定義された値に戻り、蒸気発生器の動作が中断され、対応する状態が、点滅するLEDの表示によって合図される。
【０１０４】
機器1が、その電力供給が切断されずに停止され(これについてはステップ216に概略的に示されている)、次いでステップ217において機器が始動された場合、ステップ218において変数ILS_nbrの記憶値が読み取られる。この値が、図10に分岐219によって描かれるようにしきい値n1未満である場合、機器は、ブロック210によって描かれる非ダウングレードモードを維持する。変数ILS_nbrの記憶値が、しきい値n1以上である場合、機器は、分岐221およびブロック208によって描かれるように、ダウングレードモードに移行する。
【０１０５】
分岐220およびステップ223によって描かれるように、機器がオンであるときに使用者がレフィルを取り外す場合、ステップ224において変数ILS_nbrが再初期化され、機器1はダウングレードモードに移行する。
【０１０６】
好ましくは、機器1は、不使用の、すなわちアーム2、3の閉鎖が検出されない期間が長期にわたる場合、ステップ210においてオンボタンが押されるまで、ステップ230においてスリープモードに移行するように設計される。
【０１０７】
ブロック231は、機器1が切断される場合を概略的に示しており、この場合、機器1が再接続されると、図10のアルゴリズムは、上で説明したステップ201に戻る。
【０１０８】
ステップ205におけるテストに話を戻すと、ステップ203において、レフィル10がすでに装着された状態で機器1が始動される場合(これは図10の分岐234に相当する)、ステップ235において変数ILS_nbrの値が読み取られ、この値が、しきい値n1とは異なる、とりわけしきい値n1未満である第2のしきい値n2と比較される。しきい値n2は、たとえば20に等しい。変数ILS_nbrの値がn2以上である場合、ステップ208において、機器はダウングレードモードに移行する。したがって、これにより、アームの開放および閉鎖がすでにかなりの回数ある機器を使用者が切断し、その後再接続した場合、デバイスを非ダウングレードモードで動作させることが回避される。機器の切断はしばしば機器がしまい込まれていたことを意味するので、使用者は、レフィルの使用を開始し、その後、無視できない時間期間を経過させた後に処理を再開した可能性がある。過度に時間の間隔を空けて使用する場合、レフィル内に含まれた化粧用組成物が蒸発するおそれがあり、その結果、レフィルの効果が減少する。
【０１０９】
変数ILS_nbrが、第2のしきい値n2より真に小さい場合、機器は、図11の分岐237およびブロック210に相当する非ダウングレードモードで動作することができる。
【０１１０】
本発明は、図示したアルゴリズムに限定されない。
【０１１１】
アームの閉鎖回数だけでなく、処理される毛房の長さを表すことのある毛髪上でのアームの閉鎖の持続時間も計数することが、とりわけ有利となることがある。こうすることにより、レフィル内の化粧用組成物が使い果たされている程度をより正確に決定し、したがって、レフィルを交換する必要があることをより精確に使用者に合図することが可能になり得る。
【０１１２】
アームの閉鎖の持続時間を決定するために、機器の電子回路100には、有利には、図10に点線によって示されるクロック110が、好ましくはクロックメモリ内にデータを保存するためのバッテリが備わった状態で、設けられる。
【０１１３】
当該の例では、ダウングレードモードは、蒸気発生器なしの、加熱プレートのあらかじめ定義された温度での動作に対応する。
【０１１４】
本発明の変形実施形態では、ダウングレードモードが異なり、たとえば、依然として加熱プレートの温度を調整できる動作に対応し、好ましくは、これは蒸気があるときよりも限定されたものである。
【０１１５】
図示されていない一変形形態では、機器は、装着されたレフィルの性質を、たとえばレフィル上の1つまたは複数のリリーフが情報を符号化しており、その情報が、機器上に存在する1つまたは複数の対応する接触器によって読み取られるおかげで、特定できるように設計される。この場合、たとえば、レフィルの性質に応じてレフィルごとに別様に化粧用組成物が使い果たされるという事実を考慮に入れるために、レフィルの性質に応じて、しきい値、とりわけ第1のしきい値n1を修正することが可能である。
【０１１６】
変形形態では、レフィルが対応するアーム上に存在する持続時間を記憶することも可能である。こうすることにより、とりわけ、その化粧用組成物がたとえばその蒸発のためその効果を失っている可能性のあるレフィルを用いて使用者が処理を実施してしまう状況を回避するために、ある一定の持続時間を超えたところで、機器を強制的にダウングレードモードに移行させることが可能になり得る。
【０１１７】
言うまでもなく、本発明は、今しがた説明した例に限定されない。
【０１１８】
要素33は、たとえば、隣接するプロファイル要素に1つまたは複数の切り離し可能な材料ブリッジによって接続された状態で、隣接するプロファイル要素と一緒に成形されることによって作製される。要素33は、アクティブ位置になると、摩擦のみによって、または代替として、対向するプロファイル要素にスナップ留めすることによって、保たれ得る。
【０１１９】
本発明を、スライド移動によって機器上に装着されるレフィルに関連して示してきたが、本発明は、単なるスライド移動以外の移動、たとえば回転移動、またはたとえば並進および回転成分を含むより複雑な移動によって装着されるレフィルにも適用される。
【０１２０】
ブロック部材30は、旋回軸の周りに関節を成し、コイルばねによってその初期位置に戻される、プラスチック部分として作製されてもよい。
【０１２１】
カートリッジの外形の形状は、図示の全体的なT字形状とは異なっていてよく、要素33は、2つのプロファイル要素間に画定される空間方向以外の何らかの向きに移動されてよく、たとえば、要素33は、T字の柄に平行な方向に移動されてよい。
【０１２２】
必要な場合、たとえばスクリーン上にメッセージが表示されることによって、またはインジケータライトが照明されることによって、レフィルが装着できない理由を使用者に合図するために、アクティブ位置の、すなわちカートリッジがすでに使用された後の、要素33の存在は、機器にカートリッジを装着しようとする試みが行われる場合に、たとえば機械センサまたは光センサによって自動的に検出されてよい。
【符号の説明】
【０１２３】
1  機器
2  アーム
3  アーム
4  関節
5  加熱要素
6  加熱要素
10  レフィル
11  本体
12  固定するための手段
13  塗布手段
14  プロファイル要素
15  プロファイル要素
17  ガイドウェイ要素
18  ガイドウェイ要素
19  ガイドウェイ要素
20  ガイドウェイ要素、レフィル
21  ガイドウェイ要素
23  フック
24  クリップ
26  電気接触器
26a  レバー
26b  シール
26c  プッシャ
30  ブロック部材
31  板ばね
33  可動要素
34  縁部
35  壁部
36  スロット
37  縁部
45  ランプ
51  ハウジング
52  接続部分
53  端部部分
80  位置決めフィンガ
82  面取り部
84  切れ目
86  空間
100  電子回路
102  電気抵抗器
103  電気抵抗器
105  スイッチ
106  電力ケーブル
【図１】
0006838157.tif 000002
【図２】
0006838157.tif 000003
【図３】
0006838157.tif 000004
【図４】
0006838157.tif 000005
【図５Ａ】
0006838157.tif 000006
【図５Ｂ】
0006838157.tif 000007
【図５Ｃ】
0006838157.tif 000008
【図５Ｄ】
0006838157.tif 000009
【図６Ａ】
0006838157.tif 000010
【図６Ｂ】
0006838157.tif 000011
【図７】
0006838157.tif 000012
【図８】
0006838157.tif 000013
【図９Ａ】
0006838157.tif 000014
【図９Ｂ】
0006838157.tif 000015
【図１０】
0006838157.tif 000016
【図１１】
0006838157.tif 000017
【図１２】
0006838157.tif 000018
【図１３】
0006838157.tif 000019